(57)【要約】【課題】特殊景品の機能を果たすとともに、遊技客が景品交換所へ持っていかずに景品本体を取り出して使ってしまうという衝動が起き易い遊技施設用の特殊景品の提供。【解決手段】遊技施設用の特殊景品Ａは、板状メモリ２と同形状の貫通穴１１を形成した基板１と、貫通穴１１に嵌め込まれる板状メモリ２と、貫通穴１１に臨む箇所３１を透明のままとし、その他の箇所３２に印刷を施して不透明にした透明裏蓋３と、貫通穴１１に臨む箇所４１を透明のままとし、その他の箇所にデジタルデータの内容を絵柄４２として印刷して不透明にした透明表蓋４とを備える。このため、遊技施設用の特殊景品Ａは、特殊景品の機能を果たすとともに、板状メモリ２を取り出して使ってしまうという衝動が起き易い。【選択図】図１
0003148051.tif 000002
【実用新案登録請求の範囲】
【請求項１】
基板表面・裏面に凹所を形成し、基台表面の基板縁端を包囲する様に幅狭の表面凸状を縁端内方側に形成し、基台裏面の基板縁端を包囲する様に幅狭の裏面凸状を縁端内方側に形成し、後述する板状メモリと同形状の貫通穴を形成した長方形の基板と、
不揮発性半導体記憶素子にデジタルデータを電気的に記憶させ、前記貫通穴に嵌め込まれる板状メモリと、
貫通穴裏面凹所に嵌め込まれて固定され、前記貫通穴に臨む箇所以外に印刷を施して不透明にした透明裏蓋と、
表面凹所に嵌め込まれて固定され、前記貫通穴に臨む箇所以外に前記デジタルデータの内容を印刷して不透明にした透明表蓋とを備えてなる遊技施設用の特殊景品。
【請求項２】
基板表面・裏面に凹所を形成し、基台表面の基板縁端を包囲する様に幅狭の表面凸状を縁端内方側に形成し、基台裏面の基板縁端を包囲する様に幅狭の裏面凸部を縁端内方側に形成し、後述する板状メモリと同形状の貫通穴を形成した長方形の基板と、
不揮発性半導体記憶素子にデジタルデータを電気的に記憶させ、前記貫通穴に嵌め込まれる略正方形の板状メモリと、
縁端内壁と表面・裏面凸状外壁との間に配される接着剤と、
裏面凹所に嵌め込まれ、前記貫通穴に臨む箇所以外に印刷を施して不透明にした透明裏蓋と、
表面凹所に嵌め込まれ、前記貫通穴に臨む箇所以外に前記デジタルデータの内容を印刷して不透明にした透明表蓋とを備えてなる遊技施設用の特殊景品であって、
凹所長辺となる表面凸状の内方側位置の基盤面に正方形の連通穴を開けたことを特徴とする遊技施設用の特殊景品。
【請求項３】
前記基板の材質を硬質プラスチックとし、
前記貫通穴に臨む透明部分の透明表蓋および透明裏蓋の材質を軟質プラスチックとし、  他部分の透明表蓋および透明裏蓋の材質を硬質プラスチックとしたことを特徴とする請求項１または請求項２に記載の遊技施設用の特殊景品。
【考案の詳細な説明】
【技術分野】
【０００１】
本考案は、七号営業を営む遊技施設において、遊技客が三店方式で景品交換する時に用いる遊技施設用の特殊景品に関する。
【背景技術】
【０００２】
パチンコ店等の遊技施設は、下記に示す三店方式で景品交換を行っている。
遊技施設は、出玉やメダル数に応じた特殊景品（または一般景品）を遊技客に渡す。
古物商の許可を受けた景品交換所は、遊技客が持参した特殊景品を現金で買い取る。
景品問屋は、景品交換所から特殊景品を買い取り、遊技施設へ卸す。
【０００３】
特殊景品には、金地金、箱入筆記用具、コイン、ペンダント等が使われている。また、景品本体を１度でもケースから出した場合には、特殊景品を景品交換所が買い取らないきまりである。
なお、偽物の特殊景品を景品交換所が誤って買い取らない様に、特殊景品にバーコード部を設けた技術も知られている（特許文献１）。
【特許文献１】特開平８−３３６６５８号公報
【考案の開示】
【考案が解決しようとする課題】
【０００４】
特許文献１の技術は、バーコード部をコピーして中身を入れ換えると特殊景品を簡単に偽造されてしまう。また、バーコード部が付いているので特殊景品の見栄えが悪い。
また、景品本体が魅力に欠けるので、遊技客が遊技施設から受け取った特殊景品を景品交換所へ持っていかずに中身を取り出して使ってしまうという衝動が起き難い。
【０００５】
本考案の目的は、特殊景品の機能を果たすとともに、遊技客が景品交換所へ持っていかずに景品本体を取り出して使ってしまうという衝動が起き易い遊技施設用の特殊景品の提供にある。
【課題を解決するための手段】
【０００６】
〔請求項１について〕
遊技施設用の特殊景品は、長方形の基板と、板状メモリと、透明裏蓋と、透明表蓋とを備えてなる。
【０００７】
基板は、基板表面・裏面に凹所を形成し、基台表面の基板縁端を包囲する様に幅狭の表面凸状を縁端内方側に形成し、基台裏面の基板縁端を包囲する様に幅狭の裏面凸状を縁端内方側に形成し、後述する板状メモリと同形状の貫通穴を形成している。
【０００８】
板状メモリは、不揮発性半導体記憶素子にデジタルデータを電気的に記憶させたものであり、貫通穴に嵌め込まれる。
【０００９】
透明裏蓋は、貫通穴裏面凹所に嵌め込まれて固定されている。また、透明表蓋は、表面凹所に嵌め込まれて固定されている。
透明表蓋は、板状メモリを嵌め込んだ貫通穴に臨む箇所を透明にし、その他の箇所（貫通穴に臨む箇所以外）には、板状メモリに保存されたデジタルデータの内容を印刷している。また、透明裏蓋は、板状メモリを嵌め込んだ貫通穴に臨む箇所を透明にし、その他の箇所（貫通穴に臨む箇所以外）は、印刷により不透明にしている。
【００１０】
貫通穴を臨む箇所が透明であるので、遊技施設から特殊景品を渡された遊技客は、貫通穴に嵌め込まれた板状メモリに注目する。また、透明表蓋には、板状メモリに保存されたデジタルデータの内容が印刷されているので、板状メモリの内容を容易に知ることができる。
【００１１】
遊技施設用の特殊景品は、見栄えが良いので、遊技施設から特殊景品を渡された遊技客は、景品交換所へ持っていかずに景品本体を取り出して使ってしまうという衝動が起き易い。また、特殊景品本体は、不揮発性半導体記憶素子にデジタルデータを電気的に記憶させた板状メモリであるので、時代のニーズに合っている。
【００１２】
〔請求項２について〕
遊技施設用の特殊景品は、長方形の基板と、板状メモリと、透明裏蓋と、透明表蓋とを備えてなる。
【００１３】
基板は、基板表面・裏面に凹所を形成し、基台表面の基板縁端を包囲する様に幅狭の表面凸状を縁端内方側に形成し、基台裏面の基板縁端を包囲する様に幅狭の裏面凸部を縁端内方側に形成し、後述する板状メモリと同形状の貫通穴を形成している。
【００１４】
板状メモリは、不揮発性半導体記憶素子にデジタルデータを電気的に記憶させたものであり、貫通穴に嵌め込まれる。
【００１５】
透明裏蓋は、貫通穴裏面凹所に嵌め込まれ、縁端内壁と裏面凸状外壁との間に配される接着剤により固定されている。
透明表蓋は、貫通穴裏面凹所に嵌め込まれ、縁端内壁と表面凸状外壁との間に配される接着剤により固定されている。
【００１６】
透明表蓋は、板状メモリを嵌め込んだ貫通穴に臨む箇所を透明にし、その他の箇所（貫通穴に臨む箇所以外）には、板状メモリに保存されたデジタルデータの内容を印刷している。また、透明裏蓋は、板状メモリを嵌め込んだ貫通穴に臨む箇所を透明にし、その他の箇所（貫通穴に臨む箇所以外）は、印刷により不透明にしている。
このため、遊技施設から特殊景品を渡された遊技客は、貫通穴に嵌め込まれた板状メモリに注目するとともに、印刷を見て、板状メモリの内容を容易に知ることができる。
【００１７】
遊技施設用の特殊景品は、見栄えが良いので、遊技施設から特殊景品を渡された遊技客は、景品交換所へ持っていかずに景品本体を取り出して使ってしまうという衝動が起き易い。また、特殊景品本体は、不揮発性半導体記憶素子にデジタルデータを電気的に記憶させた板状メモリであるので、時代のニーズに合っている。
【００１８】
〔請求項３について〕
遊技施設用の特殊景品は、基板の材質を硬質プラスチックとし、貫通穴に臨む透明部分の透明表蓋および透明裏蓋の材質を軟質プラスチックとし、他部分の透明表蓋および透明裏蓋の材質を硬質プラスチックとしている。
貫通穴に臨む透明部分の透明表蓋および透明裏蓋の材質が軟質プラスチックであるので、特殊景品本体である板状メモリを軟質プラスチックを通して感触を得ることができる。また、軟質プラスチックを鋏等で破って板状メモリを取り出すこともできる。なお、景品本体を取り出してしまうと、景品交換所での買い取りは無効になる。
【考案を実施するための最良の形態】
【００１９】
遊技施設用の特殊景品は、板状メモリと同形状の貫通穴を形成した基板と、貫通穴に嵌め込まれる板状メモリと、貫通穴に臨む箇所以外に印刷を施して不透明にした透明裏蓋と、貫通穴に臨む箇所以外にデジタルデータの内容を印刷して不透明にした透明表蓋とを備える。
【００２０】
基板（長方形）は、表面・裏面に凹所を形成し、各縁端内方側には表面凸状および裏面凸部が形成され、縁端内壁と表面・裏面凸状外壁との間には接着剤が配されている。
板状メモリ（略正方形）は、不揮発性半導体記憶素子にデジタルデータを電気的に記憶させたものである。
【００２１】
透明裏蓋は、裏面凹所に嵌め込まれ、貫通穴に臨む箇所以外に印刷を施して不透明にしている。また、透明表蓋は、表面凹所に嵌め込まれ、貫通穴に臨む箇所以外にデジタルデータの内容を印刷して不透明にしている。
【実施例１】
【００２２】
本考案の実施例１（請求項１、２に対応）を図１および図２に基づいて説明する。
遊技施設用の特殊景品Ａは、貫通穴１１を形成した基板１と、貫通穴１１に嵌め込まれる板状メモリ２と、裏面凹所１２に嵌め込まれる透明裏蓋３と、表面凹所１３に嵌め込まれる透明表蓋４とを備え、厚さ３ｍｍの板状（通常名：３ｍｍ景品）を呈する。
【００２３】
基板１（硬質プラスチック）は、基板表面に表面凹所１３、基板裏面に裏面凹所１２を形成し、基台表面の基板縁端１４を包囲する様に幅狭の表面凸状１５を縁端内方側に形成し、基台裏面の基板縁端１６を包囲する様に幅狭の裏面凸状１７を縁端内方側に形成している。貫通穴１１は、板状メモリ２と同形状の大きさである。また、凹所長辺となる表面凹所１３の内方側位置の、基板１の基盤面に断面正方形の連通穴１８、１８が開けられている。
【００２４】
板状メモリ２は、所定ファイル形式（Ｍｐ３、Ｗａｖ、Ｍｉｄｙ等）で、フラッシュメモリ（不揮発性半導体記憶素子）に音楽データを電気的に記憶させたＭｉｎｉＳＤカード２１を嵌め込んだＭｉｃｒｏＳＤアダプタ（何れも商品名）である。
また、貫通穴１１に嵌め込まれる板状メモリ２は、所定ファイル形式（Ｍｐ３、Ｗａｖ、Ｍｉｄｙ等）で、フラッシュメモリ（不揮発性半導体記憶素子）に音楽データを電気的に記憶させたＭｉｃｒｏＳＤカード（商品名）であっても良い。
【００２５】
透明裏蓋３（硬質プラスチック）は、板状メモリ２を嵌め込んだ貫通穴１１に臨む箇所３１（正方形）を透明のままとし、その他の箇所３２は有色の印刷を施すことにより不透明になっている。
透明表蓋４（硬質プラスチック）は、板状メモリ２を嵌め込んだ貫通穴１１に臨む箇所  ４１（正方形）を透明のままとし、その他の箇所はデジタルデータの内容を印刷した絵柄４２により不透明になっている。
なお、基板縁端１４の内壁と表面凸状１５の外壁との間、および基板縁端１６の内壁と裏面凸状１７の外壁との間には接着剤５が配されている。
【００２６】
連通穴１８、１８は、裏面凹所１２と表面凹所１３との間の空気流通用の通路である。連通穴１８、１８を開けないと、輸送中に板状メモリ２に、裏面凹所１２および表面凹所１３の空気の圧力がかかり、板状メモリ２の変形や破損が起こり易くなる。
【００２７】
遊技施設用の特殊景品Ａは、以下の利点を有する。
遊技施設用の特殊景品Ａは、特殊景品の機能を果たすとともに、見栄えが良いので、遊技施設から渡された遊技客は、遊技客が景品交換所へ持っていかずに、透明裏蓋３または透明表蓋４等を外して板状メモリ２を取り出して使ってしまうという衝動が起き易い。また、板状メモリ２は、フラッシュメモリにデジタルデータを電気的に記憶させたものなので時代のニーズに合っている。
【００２８】
遊技施設から遊技施設用の特殊景品Ａを渡された遊技客は、貫通穴１１に嵌め込まれた板状メモリ２に注目するとともに、絵柄４２の印刷を見て、板状メモリ２に格納されたデジタルデータの内容を容易に知ることができる。
【００２９】
連通穴１８、１８を設けて、裏面凹所１２と表面凹所１３との間に空気流通用の通路を形成しているので、輸送中に板状メモリ２に、裏面凹所１２および表面凹所１３の空気の圧力がかかり難く、板状メモリ２の変形や破損を防止できる。
【００３０】
本考案は、上記実施例以外に、つぎの実施態様を含む。
ａ．遊技施設用の特殊景品Ａの材質を下記の様にしても良い（請求項３に対応）。
・基板１の材質を硬質プラスチックとする。
・貫通穴１１に臨む箇所４１の透明表蓋４、および貫通穴１１に臨む箇所３１の透明裏蓋３の材質を軟質プラスチックとし、その他の箇所３２の透明裏蓋３、および絵柄４２部分の透明表蓋４を硬質プラスチックとしても良い。
【００３１】
貫通穴１１に臨む箇所４１の透明表蓋４、および貫通穴１１に臨む箇所３１の透明裏蓋３の材質が軟質プラスチックであるので、軟質プラスチックを通して板状メモリ２の感触を得ることができる。また、軟質プラスチックを鋏等で破って板状メモリ２を取り出すこともできる。なお、板状メモリ２を取り出してしまうと、景品交換所での買い取りは無効になる。
【００３２】
ｂ．連通穴１８にＲＦＩＤを埋め込んでも良い。こうすれば、遊技施設用の特殊景品が真性品か否かを判別したり、換金額等を判別することができる。
【００３３】
ｃ．板状メモリ２は、所定ファイル形式（ｊｐｇ、ＧＩＦ等）で、フラッシュメモリ（不揮発性半導体記憶素子）に画像データを電気的に記憶させたＭｉｎｉＳＤカード２１を嵌め込んだＭｉｃｒｏＳＤアダプタ（何れも商品名）であっても良い。
また、貫通穴１１に嵌め込まれる板状メモリ２は、所定ファイル形式（ｊｐｇ、ＧＩＦ等）で、フラッシュメモリ（不揮発性半導体記憶素子）に画像データを電気的に記憶させたＭｉｃｒｏＳＤカード（商品名）であっても良い。
【図面の簡単な説明】
【００３４】
【図１】本考案の実施例１にかかる遊技施設用の特殊景品の分解図である。
【図２】本考案の実施例１にかかる遊技施設用の特殊景品の斜視図である。
【符号の説明】
【００３５】
Ａ  遊技施設用の特殊景品
１  基板
２  板状メモリ
３  透明裏蓋
４  透明表蓋
５  接着剤
１１  貫通穴
１２  裏面凹所
１３  表面凹所
１４  基板縁端
１５  表面凸状
１６  基板縁端
１７  裏面凸状
１８  連通穴
３１  箇所
３２  その他の箇所
４２  絵柄
【図１】
0003148051.tif 000003
【図２】
0003148051.tif 000004